(57)【要約】      （修正有）【課題】溶断特性を安定させることができる温度ヒューズを提供する。【解決手段】第１の金属端子１１の一端部１１ａと第２の金属端子１２の一端部１２ａとの間に橋設され、かつ周囲にフラックス１３が塗布された可溶合金１４と、前記可溶合金１４の下方に配置された第１の絶縁フィルム１５と、前記可溶合金１４を覆うようにその一部が前記第１、第２の金属端子１１，１２の上面に配置され、かつ前記第１の絶縁フィルム１５に固着された第２の絶縁フィルム１６とを備え、前記第１、第２の金属端子１１，１２に、前記第１の絶縁フィルム１５と第２の絶縁フィルム１６との固着部分１７における第１、第２の金属端子１１，１２の長手方向と直交する断面の形状が、その中央部の幅より上面部、下面部のうち少なくとも一方の幅が小さくなった幅狭部１８を設けた。【選択図】図２
2012089432.tif 000002
【特許請求の範囲】
【請求項１】
第１、第２の金属端子と、前記第１の金属端子の一端部と第２の金属端子の一端部との間に橋設され、かつ周囲にフラックスが塗布された可溶合金と、前記可溶合金の下方に配置された第１の絶縁フィルムと、前記可溶合金を覆うようにその一部が前記第１、第２の金属端子の上面に配置され、かつ前記第１の絶縁フィルムに固着された第２の絶縁フィルムとを備え、前記第１、第２の金属端子に、前記第１の絶縁フィルムと第２の絶縁フィルムとの固着部分における第１、第２の金属端子の長手方向と直交する断面の形状が、その中央部の幅より上面部、下面部のうち少なくとも一方の幅が小さくなった幅狭部を設けた温度ヒューズ。
【請求項２】
第１、第２の金属端子の固着部分よりも他端部の側に溝部を形成した請求項１記載の温度ヒューズ。
【発明の詳細な説明】
【技術分野】
【０００１】
本発明は、過昇温による機器の損傷を防止するために使用される温度ヒューズに関するものである。
【背景技術】
【０００２】
従来のこの種の温度ヒューズは、図６に示すように、一対の金属端子１，２と、上面に前記一対の金属端子１，２のそれぞれの一端部が配置された第１の絶縁フィルム３と、前記一対の金属端子１，２の一端部間に橋設された可溶合金４と、前記可溶合金４を覆うように一部が前記一対の金属端子１，２の上面に配置され、かつ前記第１の絶縁フィルム３に固着された第２の絶縁フィルム５とを備えた構成としていた。そして、前記可溶合金４の周囲にはフラックス６が塗布されていた。
【０００３】
なお、この出願の発明に関する先行技術文献情報としては、例えば、特許文献１が知られている。
【先行技術文献】
【特許文献】
【０００４】
【特許文献１】特開平１１−３５３９９５号公報
【発明の概要】
【発明が解決しようとする課題】
【０００５】
上記した従来の温度ヒューズにおいて、近年の機器の機能ＵＰなどにより、大電流化対応の要請が大きくなってきている。この要請に応えるためには、温度ヒューズの抵抗値を低くすることが必要であり、その解決手段として一対の金属端子１，２の断面積を大きくする（厚みを厚くする）ことが一般的ではあるが、その場合、第１の絶縁フィルム３と第２の絶縁フィルム５との固着部分７において、図７（図６のＣ−Ｃ線断面図）に示すように、一対の金属端子１，２と、第１、第２の絶縁フィルム３，５との間に隙間８が生じ易くなる。そして、隙間８が生じた場合、この隙間８から大気や水蒸気等が浸入するため、フラックス６が劣化してしまう場合があり、これにより、溶断特性が安定しない可能性があるという課題を有していた。
【０００６】
本発明は上記従来の課題を解決するもので、溶断特性を安定させることができる温度ヒューズを提供することを目的とするものである。
【課題を解決するための手段】
【０００７】
上記目的を達成するために、本発明は以下の構成を有するものである。
【０００８】
本発明の請求項１に記載の発明は、第１、第２の金属端子と、前記第１の金属端子の一端部と第２の金属端子の一端部との間に橋設され、かつ周囲にフラックスが塗布された可溶合金と、前記可溶合金の下方に配置された第１の絶縁フィルムと、前記可溶合金を覆うようにその一部が前記第１、第２の金属端子の上面に配置され、かつ前記第１の絶縁フィルムに固着された第２の絶縁フィルムとを備え、前記第１、第２の金属端子に、前記第１の絶縁フィルムと第２の絶縁フィルムとの固着部分における第１、第２の金属端子の長手方向と直交する断面の形状が、その中央部の幅より上面部、下面部のうち少なくとも一方の幅が小さくなった幅狭部を設けたもので、この構成によれば、固着部分において第１、第２の絶縁フィルムを直角に折り曲げる必要はなくなるため、第１、第２の絶縁フィルムを第１、第２の金属端子に沿うように折り曲げるのが容易になり、これにより、第１、第２の絶縁フィルムと第１、第２の金属端子との間の隙間を無くすことができるため、大気等が浸入してフラックスが劣化してしまう可能性を低減させることができ、この結果、溶断特性を安定させることができるという作用効果が得られるものである。
【０００９】
本発明の請求項２に記載の発明は、特に、第１、第２の金属端子の固着部分よりも他端部の側に溝部を形成したもので、この構成によれば、生産時や取付時等において応力が温度ヒューズに加わったとき、この応力を溝部で吸収させることができるため、第１、第２の金属端子における幅狭部で応力を受けずにすむという作用効果が得られるものである。
【発明の効果】
【００１０】
以上のように本発明の温度ヒューズは、第１、第２の金属端子に、第１の絶縁フィルムと第２の絶縁フィルムとの固着部分における第１、第２の金属端子の長手方向と直交する断面の形状が、その中央部の幅より上面部、下面部のうち少なくとも一方の幅が小さくなった幅狭部を設けるようにしているため、固着部分において第１、第２の絶縁フィルムを直角に折り曲げる必要はなくなり、これにより、第１、第２の絶縁フィルムを第１、第２の金属端子に沿うように折り曲げるのが容易になるため、第１、第２の絶縁フィルムと第１、第２の金属端子との間の隙間を無くすことができ、この結果、大気等が浸入してフラックスが劣化してしまう可能性を低減させることができるため、溶断特性を安定させることができるという優れた効果を奏するものである。
【図面の簡単な説明】
【００１１】
【図１】本発明の一実施の形態における温度ヒューズの一部省略上面図
【図２】図１のＡ−Ａ線断面図
【図３】同温度ヒューズの金属端子の主要部の斜視図
【図４】図１、図３のＢ−Ｂ線断面図
【図５】同温度ヒューズの他の例の金属端子の断面図
【図６】従来の温度ヒューズの断面図
【図７】図６のＣ−Ｃ線断面図
【発明を実施するための形態】
【００１２】
以下、本発明の一実施の形態における温度ヒューズについて、図面を参照しながら説明する。
【００１３】
図１は本発明の一実施の形態における温度ヒューズの一部省略上面図、図２は図１のＡ−Ａ線断面図である。
【００１４】
本発明の一実施の形態における温度ヒューズは、図１、図２に示すように、第１、第２の金属端子１１，１２と、前記第１の金属端子１１の一端部１１ａと第２の金属端子１２の一端部１２ａとの間に橋設され、かつ周囲にフラックス１３が塗布された可溶合金１４と、前記可溶合金１４の下方に配置された第１の絶縁フィルム１５と、前記可溶合金１４を覆うようにその一部が前記第１、第２の金属端子１１，１２の上面に配置され、かつ前記第１の絶縁フィルム１５に固着された第２の絶縁フィルム１６とを備えているものである。そして、後述するように、前記第１、第２の金属端子１１，１２に、前記第１の絶縁フィルム１５と第２の絶縁フィルム１６との固着部分１７における第１、第２の金属端子１１，１２の長手方向と直交する断面の形状が、その中央部の幅より上面部、下面部のうち少なくとも一方の幅が小さくなった幅狭部１８を設けている。なお、図１においては、フラックス１３、第２の絶縁フィルム１６の一部を省略している。
【００１５】
上記構成において、前記第１の金属端子１１および第２の金属端子１２は、銅等の導電性の良い金属により構成され、かつ、可溶合金１４に接合される一端部１１ａ，１２ａと、外方へ突出する他端部とをそれぞれ有している。さらに、それぞれの一部には、図３、図４に示すように、第１、第２の金属端子１１，１２の長手方向と直交する断面（図１、図３のＢ−Ｂ線断面）の形状が、その中央部の幅（図４の矢印方向の寸法）より上面部および下面部の幅が小さくなった六角形の幅狭部１８を設け、さらに第１、第２の金属端子１１，１２の幅狭部１８よりも他端部側に溝部１９を形成している。なお、図３は本発明の一実施の形態における温度ヒューズの第１、第２の金属端子１１，１２の一部、図４は図３のＢ−Ｂ線断面をそれぞれ示す。
【００１６】
そして、この幅狭部１８、溝部１９は、第１、第２の金属端子１１，１２を切削等することにより設けられている。なお、第１、第２の金属端子１１，１２の一端部１１ａ，１２ａの幅を他の部分の幅より狭くしてもよいし、第１、第２の金属端子１１，１２の一端部１１ａ，１２ａの可溶合金１４との接続部に、可溶合金１４との濡れ性のよい錫等を形成してもよい。
【００１７】
また、前記可溶合金１４は、第１の金属端子１１の一端部１１ａと第２の金属端子１２の一端部１２ａとの間に橋設されて、錫、ビスマス、インジウムなどのうち２つ以上の金属の合金により構成されている。なお、前記可溶合金１４の周囲にはロジンからなるフラックス１３が塗布されている。
【００１８】
そして、前記第１の絶縁フィルム１５は、方形板状に構成され、かつその上面の一部に第１の金属端子１１および第２の金属端子１２の各一端部１１ａ，１２ａが形成されている。
【００１９】
そしてまた、前記第２の絶縁フィルム１６は、可溶合金１４を覆うように第１の絶縁フィルム１５の上面の周縁部および第１、第２の金属端子１１，１２に固着されるもので、このことにより、可溶合金１４を収納する空間が形成される。なお、第１の絶縁フィルム１５、第２の絶縁フィルム１６は、ポリエチレンテレフタレート、ポリエチレンナフタレートなどの熱可塑性樹脂により構成されている。そして、第１の絶縁フィルム１５、第２の絶縁フィルム１６は、超音波融着、熱圧着、レーザ照射等の方法で互いに溶着される。なお、第１の絶縁フィルム１５と第２の絶縁フィルム１６との間に他の絶縁フィルムを形成し、第２の絶縁フィルム１６ではなくこの他の絶縁フィルムと第１の絶縁フィルム１５とで第１、第２の金属端子１１，１２を挟み込むようにしてもよい。
【００２０】
さらに、第１の絶縁フィルム１５と第２の絶縁フィルム１６とが固着される固着部分１７に、第１、第２の金属端子１１，１２それぞれに幅狭部１８を配置し、そして、溝部１９を固着部分１７よりも第１、第２の金属端子１１，１２の他端部の側（外側）に形成する。なお、固着部分１７は幅狭部１８以外の箇所には形成しないようにする。
【００２１】
このとき、第１の絶縁フィルム１５の上面に、幅狭部１８、溝部１９が形成された第１、第２の金属端子１１，１２を配置し、フラックス１３が塗布された可溶合金１４を第１、第２の金属端子１１，１２の先端部１１ａ，１２ａ間に溶接した後、幅狭部１８の一部または全体を覆うように第２の絶縁フィルム１６の一部の下面を、第１、第２の金属端子１１，１２および第１の絶縁フィルム１５に固着する。
【００２２】
上記のように本発明の一実施の形態における温度ヒューズは、第１、第２の金属端子１１，１２に、第１の絶縁フィルム１５と第２の絶縁フィルム１６との固着部分１７における第１、第２の金属端子１１，１２の長手方向と直交する断面の形状が、その中央部の幅より上面部、下面部の幅が小さくなった幅狭部１８を設けているため、固着部分１７において第１、第２の絶縁フィルム１５，１６を直角に折り曲げる必要はなくなり、これにより、第１、第２の絶縁フィルム１５，１６を第１、第２の金属端子１１，１２に沿うように折り曲げるのが容易になるため、第１、第２の絶縁フィルム１５，１６と第１、第２の金属端子１１，１２との間に発生する隙間をほとんど無くすことができ、この結果、大気等が浸入してフラックスが劣化してしまう可能性を低減させることができるため、第１、第２の金属端子１１，１２の厚みを厚くして低抵抗値化を図っても、溶断特性を安定させることができるという効果が得られるものである。
【００２３】
すなわち、第１、第２の絶縁フィルム１５，１６を直角に折り曲げようとすると、その角部が円弧状になってしまうため、従来のように、第１、第２の金属端子１，２の断面形状が四角形でその厚みが厚い場合に、第１、第２の絶縁フィルム３，５を直角に折り曲げて、第１、第２の絶縁フィルム３，５を第１、第２の金属端子１，２の外周に沿うようにすると、図７に示すように、その角部で第１、第２の絶縁フィルム３，５を第１、第２の金属端子１，２に密着させることができず、隙間８が生じてしまう。これに対し、本発明では、第１、第２の絶縁フィルム１５，１６を折り曲げる角度が直角よりも大きな角度になるため、その円弧状となった角部を第１、第２の金属端子１１，１２の外周に沿わせるのは容易になり、第１、第２の金属端子１１，１２の厚みが厚い場合でも第１、第２の絶縁フィルム１５，１６を第１、第２の金属端子１１，１２に密着させることができる。
【００２４】
また、第１、第２の金属端子１１，１２の固着部分１７よりも他端部の側（外側）に溝部１９を形成しているため、生産時や取付時等において応力が温度ヒューズに加わったとき、この応力を溝部１９で吸収させることができ、これにより、第１、第２の金属端子１１，１２の幅狭部１８が受ける応力を軽減できるため、幅狭部１８で折れたり曲がったりするのを防止できる。
【００２５】
なお、上記本発明の一実施の形態における温度ヒューズにおいては、第１、第２の金属端子１１，１２の幅狭部１８の断面形状を、図４に示すように、その中央部の幅より上面部および下面部の幅が小さくなった六角形のものについて説明したが、図５に示すように、その中央部の幅より上面部の幅が小さくなった台形のものでもよく、さらに、その断面形状が半円形、楕円形等であってもよい。
【産業上の利用可能性】
【００２６】
本発明に係る温度ヒューズは、溶断特性を安定させることができるという効果を有するものであり、特に、過昇温による機器の損傷を防止するために使用される温度ヒューズ等において有用となるものである。
【符号の説明】
【００２７】
１１  第１の金属端子
１１ａ  第１の金属端子の一端部
１２  第２の金属端子
１２ａ  第２の金属端子の一端部
１３  フラックス
１４  可溶合金
１５  第１の絶縁フィルム
１６  第２の絶縁フィルム
１７  固着部分
１８  幅狭部
１９  溝部
【図１】
2012089432.tif 000003
【図２】
2012089432.tif 000004
【図３】
2012089432.tif 000005
【図４】
2012089432.tif 000006
【図５】
2012089432.tif 000007
【図６】
2012089432.tif 000008
【図７】
2012089432.tif 000009